(57)【要約】  【課題】点滴用の椅子において、停止時及び移動時とも高い安定性を確保する。【手段】椅子は、座１と背もたれ２とレッグレスト４とフットレスト３とを有すしている。背もたれ２及びレッグレスト４は水平状に姿勢まで回動し、かつ、フットレスト３はレッグレスト４の下端に連結されていて、レッグレスト４の跳ね上げ回動によって座１と同じ高さまで上昇する。座１の左右両側にはサイドパネル５が配置されている。椅子はフレーム構造の本体１７を有している。本体１７は座１の手前に延びる左右の前向き部１９ａを有しており、前向き部１９ａに前輪６を取り付けている。また、フットレスト３は前向き部１９ａで支持されている。本体１７は後ろ向き部１８ａも有しており、後ろ向き部１８ａに後輪７を取り付けている。前輪６を前向き部１９ａに取り付けているため安定性が高い。【選択図】図１
2010227389.tif 000002
【特許請求の範囲】
【請求項１】
左右の前輪及び左右の後輪が取り付けられた本体により、座と背もたれとフットレストとを支持している椅子であって、
前記本体には前記フットレストを支持し得る前向き部が設けられており、この前向き部に前記前輪を取り付けている、
椅子。
【請求項２】
前記背もたれは、着座した人の頭を支持する高さであって起きた姿勢から寝た姿勢まで角度調節可能な状態に前記本体又は座で支持されている一方、座の前端部とフットレストの後端部との間には着座した人のふくらはぎを支持し得るレッグレストが配置されており、前記レッグレストとフットレストとは、着座状態の人の脚を支持する状態から寝た状態の人の脚を支持する略水平状の姿勢まで姿勢変更自在になっている、
請求項１に記載した椅子。
【請求項３】
前記後輪は座の後端よりも後ろに配置されており、前記背もたれの上端には人が手で掴むことのできる把手を設けており、更に、点滴用輸液バッグの吊り下げ用支柱を着脱自在な支柱支持部が設けられている、
請求項１又は２に記載した椅子。
【請求項４】
前記本体は主として座の下方に位置した基部を有しており、前記基部の前端から下方に下がってから手前に延びる状態で前記前向き部が設けられている一方、前記座の左右両側には肘当て部を有するサイドパネルが配置されていてこのサイドパネルの下端は本体における基部の下面と略同じ程度の高さに設定しており、更に、前記本体の基部にはその下端部から前記サイドパネルの後方に延びるフレーム状の左右後ろ向き部が設けられており、前記左右の後ろ向き部の後端に設けた下向きの足部に前記後輪を取り付けている、
請求項１〜３のうちのいずれかに記載した椅子。
【発明の詳細な説明】
【技術分野】
【０００１】
本願発明は、点滴や透析のような病気治療に使用するのに好適な（すなわち医療用に好適な）椅子に関するものである。
【背景技術】
【０００２】
点滴・透析に使用する椅子の一例として特許文献１がある。この特許文献１の椅子は、座と背もたれとフットレスト（足載せ台）とレッグレスト（すね当て体）、及び、これらを支持するフレーム構造の本体部とを有している。本体部には前輪と後輪とが取り付けられている。
【０００３】
背もたれは起倒自在となるようにその下端部が座の後端部に連結されており、レッグレストは座と略同じ高さで水平状の姿勢となるようにその上端部が座の前端部に回動自在に連結されており、更に、フットレストはレッグレストの回動によって高さが変わるようにその後端部がレッグレストの下端部に連結されている。背もたれは第１をアクチェータで回動され、レッグレストは第２のアクチェータで回動される。
【０００４】
レッグレストの下端には下向きに延びる第２係合板が固定されており、レッグレストを起こし回動すると第２係合板がフットレストに下方から当たり、これによってフットレストは下方から上昇位置に高さが変わる。フットレストが下降した切った状態ではフットレストは第２係合板で支持されてはおらず、そこで、フットレストには下降し切った状態で床に接地する補助輪を設けている。
【先行技術文献】
【特許文献】
【０００５】
【特許文献１】実公平３−３４１７９号公報
【発明の概要】
【発明が解決しようとする課題】
【０００６】
点滴は種々の目的で行われており、患者に対する危険性の程度も様々である。栄養補給を目的とした点滴は危険性が低いと言えるが、例えばガン治療の一つとして実施されている高濃度ビタミンＣ点滴療法のように治療として行われる場合は、点滴中に患者の容体が急変することがあって危険性が高いことが多い。
【０００７】
他方、点滴自体は危険な行為ではないため一般に医師や看護士が始終付き添うことはなく、患者は点滴室やロビーのような非治療室においてリラックスした状態で点滴を受けている。そこで、点滴中に患者の容体が急変した場合は、患者を治療室に急送せねばならない。この点、特許文献１の椅子は前後のキャスタが付いているため、背もたれを倒すと共にレッグレストを起こしてストレッチャー化することで患者を治療室に急送することができる利点がある。
【０００８】
しかし、特許文献１の椅子には幾つかの問題点も見られる。例えば、特許文献１ではフットレストの前端部に補助輪を取り付けており、このため使用者がフットレストに載ると荷重（使用者の体重）はフットレストの後端を下向きに押し下げるように作用することになり、その結果、フットレストとレッグレストとの連結部及びレッグレストと座との連結部に大きな荷重が掛かって、それら連結部が破断しやすくなる虞がある。この点、一つの問題である。
【０００９】
また、特許文献１ではフットレストを支持するため補助輪を設けているが、フットレストを上昇させるとこれが人（移動や治療のために集まった看護士や医師）の衣服に接触し、衣服を汚す虞がある問題もあった。また、人が腰掛けた状態のままで椅子を押し引きして移動させることもあるが、この場合は左右の前輪及び後輪に加えて補助輪も床に接地する６輪状態になるため、方向変換させにくくなったり真っ直ぐ走行しなかったりする問題もあった。
【００１０】
更に、患者を寝かせて移動させるには、安定性の点から前後キャスタ（車輪）の間隔はできるだけ広いのが好ましいが、特許文献１では前輪は座の前端部の位置に配置されているため、レッグレストとフットレストとが前輪の前方に大きく張り出すことになり、その結果、走行に際しての安定性が低いという問題もあった。
【００１１】
更にまた、特許文献１の本体部はフレーム材で四角形のカゴ形に構成されており、カゴ形構造の本体の前端と後端とにキャスタを取り付けているが、安定性を高めるために本体部の後端を座よりもかなり後ろに延ばしており、そのため、本体部が相当に嵩張っているという問題もあった。
【００１２】
本願発明はこのような現状に鑑み成されたものであり、医療用として好適なリクライニング方式椅子を、より改善された形態で提供することを目的としている。
【課題を解決するための手段】
【００１３】
本願発明は幾つかの構成を含んでいる。第１の発明（請求項１の発明）は最も上位概念を成すもので、この発明は、左右の前輪及び左右の後輪が取り付けられた本体により、座と背もたれとフットレストとを支持しているという椅子において、前記本体には前記フットレストを支持し得る前向き部が設けられており、この前向き部に前記前輪を取り付けている。
【００１４】
第２の発明（請求項２）は第１の発明を具体化したものであり、この発明では、前記背もたれは、着座した人の頭を支持する高さであって起きた姿勢から寝た姿勢まで角度調節可能な状態に前記本体又は座で支持されている一方、座の前端部とフットレストの後端部との間には着座した人のふくらはぎを支持し得るレッグレストが配置されており、前記レッグレストとフットレストとは、着座状態の人の脚を支持する状態から寝た状態の人の脚を支持する略水平状の姿勢まで姿勢変更自在になっている。
【００１５】
第３の発明（請求項３の発明）は第１の発明又は第２の発明を具体化したもので、この発明では、前記後輪は座の後端よりも後ろに配置されており、前記背もたれの上端には人が手で掴むことのできる把手を設けており、更に、点滴用輸液バッグの吊り下げ用支柱を着脱自在な支柱支持部が設けられている。
【００１６】
第４の発明（請求項４の発明）は第１〜第３の発明を具体化したものであり、この発明は、第１〜第３の発明のいずれかにおいて、前記本体は主として座の下方に位置した基部を有しており、前記基部の前端から下方に下がってから手前に延びる状態で前記前向き部が設けられている一方、前記座の左右両側には肘当て部を有するサイドパネルが配置されていてこのサイドパネルの下端は本体における基部の下面と略同じ程度の高さに設定しており、更に、前記本体の基部にはその下端部から前記サイドパネルの後方に延びるフレーム状の左右後ろ向き部が設けられており、前記左右の後ろ向き部の後端に設けた下向きの足部に前記後輪を取り付けている。
【発明の効果】
【００１７】
第１の発明では、フットレストは本体の前向き部で支持されているため、椅子への乗り降りに際してフットレストに大きな荷重が掛かってもその荷重は部材の連結部に作用することはない。従って、堅牢性に優れている。また、人が腰掛けた状態のままで椅子を移動させる場合、移動は左右の前輪と後輪との回転によって行われるため、方向変換をスムースに行うことができると共に直進性にも優れている。更に、前輪の位置が座の手前位置しているため、例えば後輪の位置が特許文献１と同じ程度であっても前輪と後輪との間隔を広げることができ、その結果、走行安定性を向上できる。
【００１８】
フットレストには補助輪は不要であるため、第２の発明（請求項２の発明）のようにリクライニング方式に適用すると、フットレストを上昇させて椅子をストレッチャー状又はベッド状（寝台車状）と成した状態で補助輪が周囲の人の衣服に触れるような不具合は全くない。
【００１９】
使用者を寝かせた状態で椅子を看護士が移動（搬送）させる場合、ベッド状に伸ばした椅子の前方と後方とに一人ずつ（或いは二人ずつ）配置して、前に位置した人は椅子の前部を引き、後ろに位置した人は椅子を後ろから押す、という方法が取られる。この場合、前で引く人は身体を前方に向けながら椅子を掴まねばならないため片手で掴むのが合理的である。そして、第３の発明を採用すると、背もたれを倒して人を寝かせた状態で移動するにおいて、前で引く人は、身体は前を向きながら片手で把手を掴む体制を無理なく採ることができるため、ベッド状（或いはストレッチャー状）に伸ばした椅子の移動を、看護士に負担を欠けることなく素早く行うことができる。
【００２０】
また、第３の発明（請求項３の発明）によると、椅子に点滴用バッグを吊支できるため、どこでも点滴を行うことができて便利である。また、輸液バッグの吊支用支柱は着脱自在であるため、トイレ等の用足しも支障なく行える。
【００２１】
第４の発明（請求項４の発明）では、本体における基部と床との間には大きな空間が空くことになるため、モップで床を掃除するに際してモップを本体の下方に奥まで簡単に出し入れすることができる。このため一々椅子を動かさなくても楽に掃除することができて便利である。更に、本体の基部はサイドパネルの後ろに延びる後ろ向き部を有していてこの後ろ向き部に後輪を取り付けているため、前輪と後輪との間隔を大きく取ることができて椅子の安定性を確保することができ、しかも、本体の後ろ向き部はフレーム状になっていてサイドパネルの後ろに露出しているため、高い安定性を保持しつつ全体としてスッキリとしている。
【図面の簡単な説明】
【００２２】
【図１】実施形態の椅子を前から見た斜視図である。
【図２】実施形態の椅子を後ろから見た斜視図である。
【図３】実施形態の椅子をベッド状に伸ばした状態での分離斜視図である。
【図４】本体の斜視図である。
【図５】側断面図である。
【図６】ベッド状に伸ばした状態での側断面図であり、（Ａ）は前部を除いた部分の図、（Ｂ）は前部の図である。
【図７】（Ａ）は概略分離平面図、（Ｂ）は（Ａ）のＢ−Ｂ視断面図、（Ｃ）は（Ａ）のＣ−Ｃ視断面図、（Ｄ）は（Ｃ）と同じ箇所の別例図、（Ｅ）は（Ａ）のＥ−Ｅ視断面図である。
【図８】（Ａ）は本体と背もたれとの関係を示す概略分離平面図、（Ｂ）は（Ａ）のＢ−Ｂ視断面図である。
【図９】サイドパネルを分離した状態での一部破断側面図である。
【図１０】（Ａ）は図９の XA-XA視断面図、（Ｂ）は（Ａ）のＢ−Ｂ視断面図である。
【図１１】（Ａ）は肘当ての高さ調節機構を示し縦断正面図、（Ｂ）は（Ａ）のＢ−Ｂ視図、（Ｃ）は（Ａ）のＣ−Ｃ視断面図である。
【図１２】椅子とワゴンと平面図である。
【図１３】ワゴンの斜視図である。
【図１４】図１２の XIV-XIV視断面図である。
【発明を実施するための形態】
【００２３】
次に、本願発明の実施形態を図面に基づいて説明する。本実施形態は病院で点滴療法を施療するのに好適な医療用椅子に適用している。
【００２４】
(1).椅子の概略
例えば図１〜図３に示すように、椅子は、人が腰掛ける座１、着座した人がもたれ掛かる背もたれ２、着座した人が足を載せるフットレスト３、着座した人のふくらはぎが当たり得るレッグレスト４、座１の左右両側に配置されたサイドパネル（サイドサポート）５、左右の前輪（前キャスタ）６と左右の後輪（後キャスタ）７とを備えている。前輪６と後輪７とのうちいずれか一方又は両方にはロック機構を備えている。サイドパネル５の下には、当該サイドパネル５が載るベースパネル８を配置している。ベースパネル８は左右に一連に広がる形態になっている。
【００２５】
詳しい機構は後述するが、図３に示すように、背もたれ２は略水平姿勢まで寝かせることができる一方、レッグレスト４はその上端部を中心にして回動させることで水平状の姿勢に起こすことができ、かつ、フットレスト３は着座した人が足を載せる下降位置から座１と略同じ高さの上昇位置まで昇降させることができる。
【００２６】
背もたれ２の上部前面にはヘッドレスト（枕）９を配置している。ヘッドレスト９はシート１０に固定されており、シート１０と背もたれ２とには係脱自在な面ファスナー（図示せず）を設けている。このため、ヘッドレスト９は背もたれ２に対して着脱自在である。背もたれ２の上端面には左右横長のトップ把手１１を固定しており、また、背もたれ２の背面のうち上端寄りの箇所には左右横長のバック把手１２を固定している。
【００２７】
椅子はかなりの重量があるが、図１，２のように背もたれ２を起こした姿勢ではバック把手１２に手を掛けることで簡単に引き移動させることができ、また、図３のように背もたれ２を寝かせて寝台車状（或いはストレッチャー状）と成した状態ではトップ把手１１に手を掛けることで容易に引き移動させることができる。トップ把手１１が請求項に記載した把手に該当する。なお、把手１１，１２は例えばＴ型等の他の形態を採用することも可能であり、また、左右２個ずつ配置することも可能である。
【００２８】
サイドパネル５の上端は座１よりも高い高さになっており、このため着座した人が座１の左右外側に落ちることを防止できる。また、サイドパネル５には、着座した人が一の腕を安定した状態で載せ得るアームレスト（肘当て）１３を取り付けている。アームレスト１３は正面視コの字形の形態を成していてサイドパネル５に上から被さる状態で嵌まっている。図３に示すように左右のサイドパネル５は取り外すことができる。このため、患者をベッドＢに移し替ることが容易に行える。アームレスト１３は、サイドパネル５に対して段階的又は無段階的に高さ調節できるように取り付けられている。
【００２９】
背もたれ２の左右横幅は左右サイドパネル５の外面間の間隔と略同じ寸法に設定しているが、下部はサイドパネル５との緩衝を回避するために巾狭と成しており、このため、下部の左右両側部には段部２ａが存在している。また、図２に示すように、背もたれ２の背面のうち下部には後ろ向きに突出したバックカバー１４を取り付けている（その意義は後述する。）。椅子は、付属品として輸液バッグの吊り下げ用支柱１５を備えている。
【００３０】
(2).本体の構造
椅子は、基幹要素として図４に明瞭に示す本体１７を備えている（本体は、本体部又は木枠部と呼ぶことも可能である。）。次に、この本体１７を主として図４に基づいて説明する。本体１７は、その下部を構成する前後長手の左右下部サイドフレーム１８、下部サイドフレーム１８の前端に溶接で固着された側面視Ｌ形の前フレーム１９、左右下部サイドフレーム１８をその前部において連結する前部下ステー２０、左右下部サイドフレーム１８を前後中間位置よりも僅かに手前の部位で連結する後部下ステー２１を有している。
【００３１】
左右下部サイドフレーム１８の内側部には後部下ステー２１の後ろに近接した状態でリア支柱２２が固着されており、リア支柱２２の上端とフロントフレーム１９の上端とは前後長手の上部サイドフレーム２３で連結されており、更に、左右の上部上部サイドフレーム２３の前部は金属板より成る左右横長の前部支持体２４で連結され、左右の上部サイドフレーム２３の後部は左右横長の後部支持体２５で連結されている。敢えて述べるまでもないが、本体部は板金製とするなど様々の構造を採用できる。
【００３２】
下部サイドフレーム１８の略前半部と上部サイドフレーム２３、各ステー２０，２１フロントフレーム１９の後部起立部、リア支柱２２、前後の支持板２４，２５の各部材によって略直方体状のフレーム構造体を成しており、このフレーム構造体で請求項に記載した基部２６が構成されている。フロントフレーム１９は下部サイドフレーム１８よりも下方において手前に向けて延びる前向き部１９ａを有しており、この前向き部１９ａの前部に前輪６を水平旋回自在に取り付けている。
【００３３】
他方、下部サイドフレーム１８は基部２６（或いはリア支柱２２）よりも後ろに大きく延びる後ろ向き部１８ａを有しており、この後ろ向き部１８ａの後端に下向きの足部１８ｂを曲げ形成し、足部１８ｂの下端に後端７を水平旋回自在に取り付けている。
【００３４】
例えば図１〜３や図５に示すように、本体１７を構成するフロントフレーム１８の前向き部１９ａは座１及びレッグレスト４の前端よりも手前に張り出しており、このため前輪６も座１の手前に位置している。また、後輪７は座１の後ろに大きく張り出した後ろ向き部１９ａに取り付けており、このため前輪６と後輪７との間隔を大きくとることができ、その結果、椅子の安定性を高くして移動も安全に行える。
【００３５】
下部サイドフレーム１８における後ろ向き部１８ｂの内側部には、輸液バッグ用支柱１５を支持する底付きで上下長手の支持筒２７が固着されている。支持筒２７は背もたれ２の左右外面よりも左右内側に位置しているが、輸液バッグ用支柱１５は背もたれ２の左右外側に配置しているのが好ましい。そこで、図２に示すように輸液バッグ用支柱１５の下部はクランク状に折り曲げている。敢えて述べるまでもないが、輸液バッグ用支柱１５は左右の支持筒２７のいずれにも付け替えできる。
【００３６】
左右の上部サイドフレーム２３には、サイドパネル５の支持部材として、左右外側に張り出すサイドサポート２８を固着しており、このサイドサポート２８の前後両端に上下開口のサイド支持筒２９を固着している（サイドパネル５の取り付け構造は後述する。）。本体１７を構成する部材は鋼材からなっており、下部サイドフレーム１８とフロントフレーム１９とは丸パイプを使用し、前後ステー２０，２１とリア支柱２２と上部サイドフレーム２３とは角パイプを使用している。もちろん、他の形態の材料を使用することも可能である。
【００３７】
(3).座等の構造及びリクライニング機構
次に、図５〜８を中心にして座１等の構造とリクライニング機構とを説明する。例えば図５に示すように、座１と背もたれ２とレッグレスト４とフットレスト３とは合板等の基板３０，３１，３２，３３にクッション材３４を張った構造になっている（敢えて述べるまでもないが、クッション材３４はレザーやクロス等の表皮材で覆われている。）。座１の基板３０は本体１７における基部２６の上面にビス等で固定されている。
【００３８】
本体１７を構成する後部支持体２５の後端部は上向きに起立しており、この起立部の左右両端部には左右開口の第１軸受け筒３６が固着されている一方、図５や図８に明示するように、背もたれ２における基板３１の下端部裏面には金属板製の第１支持体３７が固定されており、第１支持板３７の下端を背もたれ２の下端面に重なるように折り曲げ、その折り曲げ部の左右両端部に第１軸受け筒３６と一直線に並ぶ第２軸受け筒３８を溶接等で固定し、第１軸受け筒３６と第２軸受け筒３８とに第１支軸３９を挿通している。従って、背もたれ２は第１支軸３９を中心にして前後に自在に回動し得る。
【００３９】
そして、図５や図６に示すように、本体１７を構成するフロントステー２０に第１ブラケット４０を固着している一方、背もたれ２における基板３１の下部には後ろ向きに大きく張り出した第２ブラケット４１をビス等で固定し、第１ブラケット４０と第２ブラケット４１とに、アクチェータの一例としての第１電動シリンダ４２がピンで相対回動自在に連結されている。第１電動シリンダ４２はモータ４３を備えており、モータ４３を正逆回転させるとロッド４２ａが前後動し、その結果、背もたれ２を起立姿勢から水平状に寝た姿勢まで任意の角度に傾動（回動）させることができる。
【００４０】
背もたれ２に固定した第２ブラケット４１はバックカバー１４で覆われている。このため安全性が確保されている。図５，６に示すように、ベースパネル８は板材で中空状に形成されている。椅子は背もたれ２を起こした状態で移動させることもあるが、この場合、ベースパネル８の後端に足を当てて押すことも可能である。
【００４１】
(4).レッグレスト及びフットレスト駆動機構
本体１７を構成する前部支持体２４の前半部は斜め上向きの傾斜部２４ａになっており、傾斜部２４ａの左右両端部に、左右に開口した第３軸受け筒４４が溶接等で固着されて（或いは曲げ形成されて）いる一方、レッグレスト４における基板３２の上端部には支持金属板製の第２支持体４５がビス止め等で固定されており、第２支持体４５に前部支持体２４の傾斜部に下方から重なる傾斜部４５ａを曲げ形成し、傾斜部４５ａの左右両端部に、第３軸受け筒４４と一直線に並ぶ第４軸受け筒４６を溶接等で固着し、第３軸受け筒４４と第４軸受け筒４６とに第２支軸４７を挿通している。従って、レッグレスト４は第２支軸４７を中心にして回動し得る。
【００４２】
図５に明示するように、前部支持体２４の傾斜部２４ａと第２支持体４５の傾斜部４５ａとは側面視で水平に対して略４５度程度の角度になっている。また、座１及びレッグレスト４とも、支持体２４，４５における傾斜部２４ａ，４５ａの先端よりも先の部分はクッション３４のみからなっている。このため、レッグレスト４はクッション３４を圧縮変形させることで図６のように水平状の姿勢に回動し得る。
【００４３】
レッグレスト４の回動はアクチェータの一例としての第２電動シリンダ４９で行われ。図４，５，７等に示すように、第２電動シリンダ４９は、後部ステー２５に溶接等で設けた第３ブラケット５０と第２支持体４５に設けた第４ブラケット５１とにピンで相対回動自在に連結されている。第４ブラケット５１は、図７（Ｃ）に示すように第２支持板４５に切り起こしによって形成することも可能であるし、図７（Ｄ）に示すように別体の部材にして第２支持体４５に溶接等で固着しても良い。
【００４４】
図７（Ａ）に示すように、第２電動シリンダ４９もモータ５２を有しており、モータ５２を正逆回転させてロッド４９ａを前後動させることでレッグレスト４を下向き姿勢から水平状姿勢まで任意の回動角度に回動させることができる。そして、第１電動シリンダ４２と第２電動シリンダ４９とは椅子の縦長中心線を挟んだ左右両側に振り分けて配置している。この場合、両電動シリンダ４２，４９のモータ４３，５２を互いに逆向きに突出させることにより、両電動シリンダ４２，４９をできるだけ近接させている。その結果、重量が重い電動シリンダ４２，４９を椅子の左右中間部に寄せることができて、椅子の安定性を向上できる。
【００４５】
レッグレスト４における基板３２の下端部には鋼板より成る第３支持板５３がビス等で固定されており、この第３支持体５３にレッグレスト４の下端面に向けて４５°程度で傾斜した傾斜部５３ａを曲げ形成し、傾斜部５３ａの左右両端部に左右開口の第５軸受け筒５４を溶接等で設けている。一方、フットレスト３における基板３３には鋼板製の第４支持体５５を固定しており、第４支持体５５の左右両端部に、第５軸受け筒５４と一直線に並ぶ第６軸受け筒５６を設けて、第５軸受け筒５４と第６軸受け筒５６とに第３支軸５７を挿通している。従って、フットレスト３とレッグレスト４とは第３支軸５７を中心にして相対回動し得る。
【００４６】
既述のようにレッグレスト４は第２電動シリンダ４９で駆動されるが、フットレスト３はレッグレスト４に連動して昇降する。この連動は図５，６，７に示すリンク５８を介して行われる。リンク５８の後端は図７（Ａ）（Ｂ）に示す第５ブラケット５９にピンで回動自在に連結されており、リンク５８の後端は図５や図７（Ａ）（Ｅ）に示す第６ブラケット６０にピン６０′で回動自在に連結されている。第５ブラケット５９は前部支持体２４の下面に溶接で固着されており、第６ブラケット６０はフットレスト３の第３支持体５３に固定されている。
【００４７】
フットレスト３はレッグレスト４よりも薄くなっている。このため、図６（Ｂ）に示すように、フットレスト３を上昇させ切った状態では、フットレスト３の下面はレッグレスト４の下面よりも上に位置している。また、フットレスト３はは下降させ切った状態でその後端がレッグレスト４の後端面よりも手前に位置している。そこで、リンク５８が略鉛直姿勢から水平姿勢まで回動することを可能ならしめるため、第６ブラケット６０はフットレスト３の下方に大きく突出すると共に後方に大きく張り出す形態にしている。図５から理解できるように、フットレスト３は下降させ切った状態でフロントフレーム１９の前向き部１９ａで支持されている。
【００４８】
(5).以上のまとめ・補足
患者は椅子に腰掛けて片方の腕をアームレスト１３に載せ、その状態で点滴を受ける。点滴治療は相当の時間が掛かるため（ガン治療の場合は、１０時間以上に及ぶこともある。）。そこで、背もたれ２の角度やレッグレスト４の角度、フットレスト３の高さなどを調節することにより、患者は体格や好み等に合わせて安楽状態を確保する。これらの調節は、図１に簡単に表示しているコントローラ（リモコン）６１で行う。図示のコントローラ６１は有線方式になっているが、無線方式とすることも可能である。
【００４９】
図１，２に示すように、左右サイドパネル５の外面には、コントローラ６１を係止するフック６２が設けられている。また、図２に示すように、背もたれ２の背面部にはコントローラ６１の収納ポケット６３を設けている。患者の容体が急変して治療室に急送する場合は、コントローラ６１は収納ポケット６３に収納したら良い。
【００５０】
点滴は長時間を要するので、患者はリラックスするために靴を脱ぐのが好ましい。この点、本実施形態ではフットレスト３にクッション３４を設けているため、靴を脱いだ状態でも違和感なく足を載せることができる。また、フットレスト３は下降し切った状態で前向き部１９ａで支持されているため、乗り降りに際して椅子は安定した状態に保持されている。例えば図１に示すように、サイドパネル５の前上部は後傾状にカットされている。このため乗り降りに際して身体がサイドパネル５に当たることを防止できる。また、サイドパネル５の後ろ上部も斜めにカットしており、このため、背もたれ２を起こした状態であってもサイドフレーム１８を簡単に取り外すことができる。
【００５１】
既述のとおり、患者の容体が急変したら、背もたれ２を倒すと共に、レッグレスト４の起こしとフットレスト３の上昇とを行って、治療室に移動させることになる。その場合、左右のサイドパネル５が存在するため、廊下を曲がるに際して患者に遠心力が働いても、患者が椅子から落ちるようなことは全くない。また、背もたれ２を倒して患者を寝かせた状態にした場合、両腕は背もたれ２の左右両側部に載るが、背もたれ２はその下端部を除いて左右サイドフレーム１８の外面間の間隔寸法と略同じ程度の横幅になっているため、腕が背もたれ２の外側で垂れ下がることを防止できる。
【００５２】
(6).サイドパネルの着脱構造・アームレストの高さ調節機構
次に、サイドパネル５の着脱機構とアームレスト１３の上下高さ調節機構とを主として図９〜図１１に基づいて説明する。既述のようにサイドパネル５は本体１７に設けたサイドサポート２８で支持される。そこで、図９や図１１（図３も参照）に示すように、サイドパネル５の内面部にはサイドサポート２８に上方から嵌まる側面視四角形の切欠き部６５を形成している。
【００５３】
図１に示すように、サイドパネル５は大まかには内外の芯板６６，６７の外面にクッション６８を張った構造になっており、内芯板６６とこれに張ったクッション６８とを切除することで切欠き部６５を形成している。内外の芯板６６，６７はスペーサ６９で間隔が保持されている。そして、内外の芯板６６，６７で形成された空間のうち切欠き部６５の上方部に上向き開口コの字形のスペーサブラケット７０を固定し、このスペーサブラケット７０に、サイドサポート２８のサイド支持筒２９に嵌まる支持ピン７１を固定している。
【００５４】
従って、支持ピン７１をサイド支持筒２９に抜き差しすることにより、サイドパネル５を本体１７に着脱することができる。サイドパネル５は座１の基板３０に取り付けることも可能である。支持ピン７１をサイドサポート２８に設けて、支持筒２９をサイドパネル５に設けることも可能である。また、他の着脱機構を採用することも可能である。
【００５５】
図１１（Ａ）に示すように、アームレスト１３は下向き開口コの字形の芯材１３ａにクッション１３ｂを張った構造になっている。アームレスト１３の内側部は座１との関係で高さは規制されるが、外側部の高さは座１で規制されることはない。このため外側部を内側部より下方に長く延びるように大きな高さに設定している。このため、アームレスト１３は高さを高くした状態であっても高い安定性が確保される。支持ピン７１は上向きに大きく延びている一方、アームレスト１３の芯材７２には支持ピン７１に嵌まるガイド筒７４を固定している。このためアームレスト１３をスムースに上下動させることができる。
【００５６】
図１１に示すように、アームレスト１３における芯材１３ａの前後中間部には下向きに長く延びるロッド７５を設けており、ロッド７５の下端部に、高さ調節機構を構成する左右一対のラチェット爪７２が取り付けられている。ラチェット爪７２は板ばね製又は樹脂製であり、サイドパネル５におけるスペーサブラケット７０の内側面に向けて正面視で斜め下向きに延びている。また、左右のラチェット爪７２はロッド７５に貫通した左右長手のスライド軸７６に固定されており、かつ、スライド軸７６はロッド７５に設けた前後ガイド穴７７に前後スライド自在に嵌まっている。
【００５７】
そして、スペーサブラケット７０には、ラチェット爪７２が上昇動する係合溝７８とラチェット爪７２が下降動する逃がし溝７９が隣り合わせて形成されており、係合溝７８にはラチェット爪７２を下向き動不能に保持する係合穴８０が複数段形成されている。また、係合溝７８と逃がし溝７９とは上下の傾斜溝８１を介して繋がっている。スペーサブラケット７０のうち傾斜溝８１の近傍部には、スライド軸７６を案内するガイド溝（図示せず）が形成されており、このガイド溝の作用により、アームレスト１３を上昇させ切るとラチェット爪７２は係合溝７９から逃がし溝７９に移行し、アームレスト１３を下降させ切るとラチェット爪７２は逃がし溝７９から係合溝７８に移行する。
【００５８】
アームレスト１３を高さ調節するための機構としては、ハート形カムを利用したワンウエイ方式ラチェット機構など様々の構成を採用できる。また、無段階的に調節可能とすることも可能である。
【００５９】
高さ調節機構としてロック解除ボタンをアームレスト１３の外面に配置して、解除ボタンを押して高さ調節することも可能である。他方、アームレスト１３には点滴のために腕を載せており、このため、アームレスト１３がずり下がるような不測の事態は避けるべきであるが、ロック解除ボタンがアームレスト１３の外面にあると、誤ってロック解除ボタンを押してアームレスト１３が下降してしまう虞がある。これに対して、本実施形態のように持ち上げることのみで高さ調節する構成を採用すると、アームレスト１３が意図することなく下降してしまう不測の事態を確実に回避できる利点がある。
【００６０】
(7).その他
本願発明は上記の実施形態の他にも様々に具体化できる。例えば背もたれやレッグレストは座に連結してもよい。座を昇降式とすることも可能である。背もたれ等を駆動するアクチェータとしては電動シリンダに限らず、エアシリンダや油圧シリンダのような各種のものを使用できる。ガスシリンダを使用した手動式とすることも可能である。
【００６１】
(8).ワゴンの説明
次に、図１２〜図１４を参照してワゴン（或いはキャビネット）８３を説明する。図１２の配置例から理解できるように、このワゴン８３は本実施形態の椅子とセットで使用するのに好適なものである。
【００６２】
ワゴン８３は平面視長方形になっており、天板８４と底板８５と背板８６とを備えており、左右側面部のうち一方の部分は第１側板８７で全体が覆われて、左右側面部のうち他方の部分は、上寄りの部分のみが固定式の第２側板８８で覆われて、第２側板８８の下方の部分はサイド開口部となっていて、この開口部に水平回動式のサイド扉８９を取り付けている。
【００６３】
また、ワゴン８３の内部はおおよそ左右中間部のあたりに配置した中間仕切り板９０で左右に仕切られており、中間仕切り板９０と第２側板８８及び扉８９とで挟まれた空間のうち上部には、スライド天板９１が図示しないガイドレールで前後引き出し動自在に取り付けられている。そして、スライド天板９１の下方には、スライド天板９１の近傍から下方に延びる補助仕切り板９２と、補助仕切り板９２の下端と中間仕切り板９０とに固定した補助棚板９３とが配置されている。
【００６４】
補助仕切り板２１と補助棚板９３とは正面視でＬ形の形態を成しており、かつ、補助棚板９３と底板８５との間にはある程度の間隔が空いている。従って、スライド天板９１の下方の空間は、正面視でＬ形の主空間９４と矩形のサブ空間９５とに区分されている。主空間９４の前面部は正面視Ｌ形の固定前板９６で塞がれており、従って、主空間９４は側方のみに開口している。また、サブ空間９５は手前に開口しているが、上側の適宜範囲が開口したままとなるように水平回動式の前扉９７を取り付けている。
【００６５】
高濃度ビタミンＣ点滴療法は特に乳ガンの治療として普及しつつあり、従って、その場合の椅子の使用者（患者）は女性になる。そして、特に冬場の場合は女性はブーツを履くことが多いが、ワゴン８３の主空間９４をＬ形とすることにより、高さの高いブーツｂも変形させることなく収納できる。また、主空間９４をブーツｂの収納に使用した場合、ブーツｂはＬ形であるため、主空間９４が正面視で矩形であるとデッドスペースが生じるが、本実施形態では、ブーツｂの収納を阻害しない状態でサブ空間９５を形成しており、このためサブ空間９５を他の物品の収納部として利用できる。
【００６６】
サブ空間９５の使用例としてゴミ箱ｇを置いている。前扉９７の上方は開口しているため、一々前扉９７を開閉しなくてもゴミをごみ箱ｇに投入することができる。サブ空間９５の全体を前扉９７で塞いでもよいし、逆に、前扉９７を設けずにサブ空間９５を完全なオープン式とすることも可能である。主空間９４も、サイド扉８９を設けずにオープン方式とすることも可能である。第２側板８８を設けずに、サイド扉８９で主空間９４の全高を覆うことや、主空間９４を全高にわたってオープン方式とすること、或いは、主空間９４を前面に開口させることも可能である。
【００６７】
第１側板８７と若干の間隔を空けてエンド仕切り板９８を配置しており、かつ、エンド仕切り板９８と中間仕切り板９０との間の空間には適宜段数の棚板（図面では２枚）の棚板９９を配置している。第１側板８７とエンド仕切り板９８とで挟まれた縦長空間１００には板材のような細長い部材を収納できる。本実施形態では、椅子の左右アームレスト１３に跨がった状態に載せる作業テーブル１０１を収納している。作業テーブル１０１はアームレスト１３の内側面の箇所に位置するストッパー１０１ａを設けており、このため左右ずれ不能の状態で使用できる。作業テーブル１０１を使用することにより、食事、パソコン操作、読書等の様々な作業を行える。なお、点滴を受ける腕は作業テーブル１０１の上に載せるこになる。
【００６８】
天板８４の背面寄り部位には薄い目隠しパネル（スクリーン）１０２を取り付けている。目隠しパネル１０２は完全な遮光性のものでも良いし、スリガラス状の不透明で透光性のあるものや色付きの半透明のものなど、その特性や素材は任意に選択できる。
【００６９】
天板８４には、テレビ等の物品を支持できるアーム装置１０３を固定することができる。アーム装置１０３は支柱１０４とアーム１０５とを有しており、アーム１０５は支柱１０３に水平旋回自在に取り付けられている。また、アーム１０５は複数の部材からなっており、屈曲することでテレビＴ等の物品の位置を自在に調節できる。第２側板８８には衣服用ハンガーを掛けるハンガーフック１０６を設けている。底板８５の四隅部にはキャスタ１０７を取り付けている。
【００７０】
さて、ワゴン（或いはキャビネット）は前面のみ開口したものや四方にオープンしたものなど、様々の形態のものがある（例えば特開２００５−１３７７４４号公報など。）。内部の仕切り構造としては、縦長の仕切り板と横長の棚板との組み合わせによっており、従って、単位収納空間は矩形の形態になっている。
【００７１】
他方、ワゴンに収納する物品の形態は様々であり、ブーツのようにＬ形のものもある。このようなＬ形の物品を収納する場合、矩形の空間ではデッドスペースが生じることなり、空間の収納効率が悪くなる。
【００７２】
そこで本願発明者たちは、上記実施形態のように、「全体として正面視矩形の空間をＬ形の主空間と矩形のサブ空間と区分する」という着想に至った。この場合、ワゴン８３やキャビネットの内部空間を１つの主空間と１つのサブ空間との２つの空間のみで構成することも可能であるし、上記実施形態のように、ワゴンやキャビネットの空間を複数のエリアに区分し、１つのエリアのみをＬ形の主空間と矩形のサブ空間とに区分しても良い。主空間及びサブ空間とも、開口させたままでも良いし扉やカバーを設けてもよい。主空間とサブ区間との容積の比率に限定はなく、必要に応じて設定したらよい。矩形のサブ空間を複数に区分することも可能である。
【００７３】
このように矩形の収納空間をＬ形の主空間と矩形のサブ空間とに区分することにより、Ｌ形の物品を的確に収容しつつ、スペースを有効利用できる。また、Ｌ形の主空間には丈の低い物と丈の高いものとを収納することも可能である。
【符号の説明】
【００７４】
１  座
２  背もたれ
３  フットレスト
４  レッグレスト
５  サイドパネル
６  前輪
７  後輪
８  ベースパネル
１３  アームレスト
１１  トップ把手
１５  輸液バッグ支持用支柱
１７  本体
１８  下部サイドフレーム
１８ａ  後ろ向き部
１８ｂ  足部
１９  フロントフレーム
１９ａ  前向き部
２６  本体の基部
【図１】
2010227389.tif 000003
【図２】
2010227389.tif 000004
【図３】
2010227389.tif 000005
【図４】
2010227389.tif 000006
【図５】
2010227389.tif 000007
【図６】
2010227389.tif 000008
【図７】
2010227389.tif 000009
【図８】
2010227389.tif 000010
【図９】
2010227389.tif 000011
【図１０】
2010227389.tif 000012
【図１１】
2010227389.tif 000013
【図１２】
2010227389.tif 000014
【図１３】
2010227389.tif 000015
【図１４】
2010227389.tif 000016